(57)【要約】【課題】  ＬＡＮ１上にＰＣ２、…とこれらのＰＣ２、…により共用利用されるデジタル複写機３とからなるものにおいて、デジタル複写機３により入力された画像をすぐに確認でき、読取られた画像の印刷が容易にする。【解決手段】  この発明は、デジタル複写機３のスキャナ部１１により文書画像を読取り、これら読取画像を縮小して印刷した確認シート５０を発行する。この確認シート５０上には、画像ごとに、読取った画像を印刷する指示が記入される記入欄が印刷される。この確認シート５０をスキャナ部１１で読取り、確認シート５０の記入欄の印刷する指示の有無を判断するとともに、どの頁を印刷するかを判断し、その対象の頁の画像をＨＤＤ１６から読出しプリンタ部１２で印刷する。【選択図】  図５
2008022583.tif 000002
【特許請求の範囲】
【請求項１】
画像およびこの画像に対応した番号が記憶された記憶手段と；
前記記憶手段に記憶された前記画像を縮小した縮小画像と、前記縮小画像に対応する前記画像を印刷する指示が記入される記入欄とを印刷媒体へ印刷し、記入シートを作成する印刷手段と；
前記記入シートを読取る読取手段と；
前記読取手段によって読取られた前記記入シートの前記記入欄に記入された前記印刷する指示の有無を判断するとともに、前記印刷する指示が記入された前記記入欄から対象の画像の番号を判断する判断手段と；
前記判断手段によって判断された番号の画像を前記記憶手段より読み出して、前記印刷手段でこの画像を印刷媒体に印刷させる制御手段と；
を備える画像処理装置。
【請求項２】
前記印刷手段は、前記縮小画像に対応する番号を印刷して前記記入シートを作成する請求項１に記載の画像処理装置。
【請求項３】
前記記憶手段に記憶された前記画像は、文書単位の画像であり、前記番号は文書単位の画像の頁番号である請求項1に記載の画像処理装置。
【請求項４】
文書単位の複数の原稿を順次搬送する原稿搬送手段と；
前記原稿搬送手段により順次搬送される前記原稿の画像を読取る読取手段と；
前記読取手段により読取った前記画像およびこの画像に対応した頁番号を記憶する記憶手段と；
前記記憶手段に記憶された前記画像を縮小した縮小画像と、前記縮小画像に対応する前記画像を印刷する指示が記入される記入欄とを印刷媒体へ印刷し、記入シートを作成する印刷手段と；
前記読取手段による前記記入シートの読取りを指示する指示手段と；
前記指示手段の指示により、前記読取手段によって読取られた前記記入シートの前記記入欄に記入された前記印刷する指示の有無を判断するとともに、前記印刷する指示が記入された前記記入欄から対象の画像の頁番号を判断する判断手段と；
前記判断手段によって判断された頁番号の画像を前記記憶手段より読み出して、前記印刷手段でこの画像を印刷媒体に印刷させる制御手段と；
を備える画像処理装置。
【請求項５】
前記制御手段は、前記判断手段によって判断された頁番号の画像を前記記憶手段より読み出して、この画像を前記読取手段で読取った前記原稿の画像と同じ大きさで、原寸印刷させる請求項４に記載の画像処理装置。
【請求項６】
前記記入欄は、前記記憶手段に記憶された画像を印刷する指示が記入される第１の記入欄と、前記縮小画像に対応し、前記第１の記入欄の前記印刷する指示と異なる指示が記入される第２の記入欄を有し、
前記判断手段は、前記第１の記入欄に記入された前記印刷する指示の有無を判断し、印刷を行なうと判断した場合には、前記第２の記入欄に記入された指示の内容に関係なく、指示が記入された前記第２の記入欄から対象の画像の頁番号を判断する請求項４に記載の画像処理装置。
【請求項７】
前記印刷手段は、前記縮小画像に対応する頁番号を印刷して前記記入シートを作成する請求項４乃至請求項６のいずれか１項に記載の画像処理装置。
【請求項８】
画像形成装置と制御装置と画像およびこの画像に対応した番号を記憶する記憶装置とを備える画像処理システムであって、
前記画像形成装置は、シートの画像を読み込む画像読取部と、
前記記憶装置に記憶された画像を形成する画像形成部とを有し；
前記制御装置は、前記記憶装置に記憶された前記画像を読み出して前記画像形成部に送信し、前記画像を縮小した縮小画像と、前記縮小画像に対応する前記画像を印刷する指示が記入される記入欄とを前記画像形成部によって印刷媒体へ印刷させて記入シートを作成させる第１の制御部と、
前記記入シートが前記画像読取部に読取られた場合に、前記画像読取部によって読取られた前記記入シートの前記記入欄に記入された前記印刷する指示の有無を判断するとともに、前記印刷する指示が記入された前記記入欄から対象の画像の番号を判断する判断部と、
前記判断部によって判断された番号の画像を前記記憶装置より読み出して前記画像形成部へ送信し、前記画像形成部でこの画像を印刷媒体に印刷させる第２の制御部とを有する；ことを特徴とする画像処理システム。
【請求項９】
画像およびこの画像に対応した番号を記憶手段によって記憶し；
前記記憶手段に記憶された前記画像を縮小した縮小画像と、前記縮小画像に対応する前記画像を印刷する指示が記入される記入欄とを印刷手段によって印刷媒体へ印刷して記入シートを作成し；
前記記入シートを読取手段によって読取り；
判断手段によって、前記読取手段によって読取られた前記記入シートの前記記入欄に記入された前記印刷する指示の有無を判断するとともに、前記印刷する指示が記入された前記記入欄から対象の画像の番号を判断し；
前記判断手段によって判断された番号の画像を前記記憶手段より読み出して、前記印刷手段でこの画像を印刷媒体に印刷させる画像処理方法。
【請求項１０】
文書単位の複数の原稿を原稿搬送手段によって読取手段へ順次搬送し；
前記原稿搬送手段によって順次搬送される前記原稿の画像を前記読取手段によって読取り；
前記読取手段で読取った前記画像およびこの画像に対応した頁番号を記憶手段によって記憶し；
前記記憶手段に記憶された前記画像を縮小した縮小画像と、前記縮小画像に対応する前記画像を印刷する指示が記入される記入欄とを印刷手段によって印刷媒体へ印刷して記入シートを作成し；
前記読取手段による前記記入シートの読取りを指示手段を介して指示し；
前記指示手段の指示後、判断手段によって、前記読取手段で読取られた前記記入シートの前記記入欄に記入された前記印刷する指示の有無を判断するとともに、前記印刷する指示が記入された前記記入欄から対象の画像の頁番号を判断し；
前記判断手段によって判断された頁番号の画像を前記記憶手段より読み出して、前記印刷手段でこの画像を印刷媒体に印刷させる画像処理方法。
【発明の詳細な説明】
【技術分野】
【０００１】
この発明は、たとえば、ローカルネットワーク上に複数のパーソナルコンピュータとスキャナ機能を有するデジタル複写機とが接続されており、デジタル複写機のスキャナ機能が各パーソナルコンピュータにより共用して利用される画像処理装置および画像処理システムおよび画像処理方法に関する。
【背景技術】
【０００２】
従来から、大型のスキャナをネットワーク上に置き、各自のパーソナルコンピュータ（ＰＣ）から利用するものが考えられている。この場合には、スキャナにもネットワークのインターフェースを持たせ、ＬＡＮ（Ｌｏｃａｌ  Ａｒｅａ  Ｎｅｔｗｏｒｋ）に接続させている。
【０００３】
また、読取られた画像を利用するＰＣにもネットワークのインターフェースを持たせ、ＬＡＮに接続させている。
【０００４】
そして、スキャナで読取られる画像は、ＬＡＮを伝送されＰＣに送られる。また、このような場合にも、複数のＰＣに対し、スキャナが利用できるように共用で利用されることが考えられている。
【０００５】
しかし、複数のＰＣで共用で利用するスキャナでは、画像をＬＡＮを介してＰＣに送っている。また、複数のＰＣで利用される場合には、スキャナの設置場所とＰＣの設置場所とが離れて設置されていることもある。このような場合には、ユーザはスキャナのところまで原稿を持っていき、スキャンを行い、ＰＣのところまで戻ってきて取り込んだ画像の確認を行う。
【０００６】
このときに、読取られた画像がうすく読みづらかったり、濃く読みすぎてしまったり、読取りの条件がうまく合わないと、ユーザは、再度原稿を持ってスキャナまで行き、スキャンし直す必要がある。また、ＬＡＮ上にも画像データが流れ、ＬＡＮのトラヒック（ネットワーク上のデータ量）が増えるという問題もある。
【０００７】
このため、ＬＡＮ上のトラヒックが増加せずに、スキャナで読取った画像をすぐにユーザが確認できることが望まれている。また、読取った画像を再度スキャンするときに、容易に設定することが望まれている。
【０００８】
したがって、従来では、共用のスキャナで読取られた画像がすぐに確認できない、また読取られた画像の修正が容易にできないという問題がある。
【発明の開示】
【発明が解決しようとする課題】
【０００９】
この発明は、ネットワークを介して接続される少なくとも１つの画像出力装置とこれらの画像出力装置により共通に用いられる１つの画像入力装置とからなるものにおいて、画像入力装置により入力された画像をすぐに確認できず、さらに読取られた画像の修正が容易にできないという欠点を除去するもので、画像入力装置により入力された画像をすぐに確認でき、さらに読取られた画像の修正が容易にできる画像処理装置および画像処理システムおよび画像処理方法を提供することを目的としている。
【課題を解決するための手段】
【００１０】
この発明の画像処理装置は、画像およびこの画像に対応した番号が記憶された記憶手段と、前記記憶手段に記憶された前記画像を縮小した縮小画像と、前記縮小画像に対応する前記画像を印刷する指示が記入される記入欄とを印刷媒体へ印刷し、記入シートを作成する印刷手段と、前記記入シートを読取る読取手段と、前記読取手段によって読取られた前記記入シートの前記記入欄に記入された前記印刷する指示の有無を判断するとともに、前記印刷する指示が記入された前記記入欄から対象の画像の番号を判断する判断手段と、前記判断手段によって判断された番号の画像を前記記憶手段より読み出して、前記印刷手段でこの画像を印刷媒体に印刷させる制御手段とを備えることを特徴とする。
【００１１】
この発明の画像処理装置は、文書単位の複数の原稿を順次搬送する原稿搬送手段と、前記原稿搬送手段により順次搬送される前記原稿の画像を読取る読取手段と、前記読取手段により読取った前記画像およびこの画像に対応した頁番号を記憶する記憶手段と、前記記憶手段に記憶された前記画像を縮小した縮小画像と、前記縮小画像に対応する前記画像を印刷する指示が記入される記入欄とを印刷媒体へ印刷し、記入シートを作成する印刷手段と、前記読取手段による前記記入シートの読取りを指示する指示手段と、前記指示手段の指示により、前記読取手段によって読取られた前記記入シートの前記記入欄に記入された前記印刷する指示の有無を判断するとともに、前記印刷する指示が記入された前記記入欄から対象の画像の頁番号を判断する判断手段と、前記判断手段によって判断された頁番号の画像を前記記憶手段より読み出して、前記印刷手段でこの画像を印刷媒体に印刷させる制御手段とを備えることを特徴とする。
【００１２】
この発明の画像処理システムは、画像形成装置と制御装置と画像およびこの画像に対応した番号を記憶する記憶装置とを備える画像処理システムであって、前記画像形成装置は、シートの画像を読み込む画像読取部と、前記記憶装置に記憶された画像を形成する画像形成部とを有し、前記制御装置は、前記記憶装置に記憶された前記画像を読み出して前記画像形成部に送信し、前記画像を縮小した縮小画像と、前記縮小画像に対応する前記画像を印刷する指示が記入される記入欄とを前記画像形成部によって印刷媒体へ印刷させて記入シートを作成させる第１の制御部と、前記記入シートが前記画像読取部に読取られた場合に、前記画像読取部によって読取られた前記記入シートの前記記入欄に記入された前記印刷する指示の有無を判断するとともに、前記印刷する指示が記入された前記記入欄から対象の画像の番号を判断する判断部と、前記判断部によって判断された番号の画像を前記記憶装置より読み出して前記画像形成部へ送信し、前記画像形成部でこの画像を印刷媒体に印刷させる第２の制御部とを有することを特徴とする。
【００１３】
この発明の画像処理方法は、画像およびこの画像に対応した番号を記憶手段によって記憶し、前記記憶手段に記憶された前記画像を縮小した縮小画像と、前記縮小画像に対応する前記画像を印刷する指示が記入される記入欄とを印刷手段によって印刷媒体へ印刷して記入シートを作成し、前記記入シートを読取手段によって読取り、判断手段によって、前記読取手段によって読取られた前記記入シートの前記記入欄に記入された前記印刷する指示の有無を判断するとともに、前記印刷する指示が記入された前記記入欄から対象の画像の番号を判断し、前記判断手段によって判断された番号の画像を前記記憶手段より読み出して、前記印刷手段でこの画像を印刷媒体に印刷させることを特徴とする。
【００１４】
この発明の画像処理方法は、文書単位の複数の原稿を原稿搬送手段によって読取手段へ順次搬送し、前記原稿搬送手段によって順次搬送される前記原稿の画像を前記読取手段によって読取り、前記読取手段で読み取った前記画像およびこの画像に対応した頁番号を記憶手段によって記憶し、前記記憶手段に記憶された前記画像を縮小した縮小画像と、前記縮小画像に対応する前記画像を印刷する指示が記入される記入欄とを印刷手段によって印刷媒体へ印刷して記入シートを作成し、前記読取手段による前記記入シートの読取りを指示手段を介して指示し、前記指示手段の指示後、判断手段によって、前記読取手段で読取られた前記記入シートの前記記入欄に記入された前記印刷する指示の有無を判断するとともに、前記印刷する指示が記入された前記記入欄から対象の画像の頁番号を判断し、前記判断手段によって判断された頁番号の画像を前記記憶手段より読み出して、前記印刷手段でこの画像を印刷媒体に印刷させることを特徴とする。
【発明の効果】
【００１５】
この発明によれば、ローカルネットワーク上に複数の画像出力装置とこれらの画像出力装置により共用して利用される画像入力装置とからなるものにおいて、画像入力装置により入力された画像をすぐに確認でき、さらに読取られた画像の修正が容易にできる。
【発明を実施するための最良の形態】
【００１６】
以下、図面を参照して本発明の実施の形態について説明する。
【００１７】
〔実施の形態〕
図１は、この発明の画像処理システムの概略構成を示している。
【００１８】
すなわち、上記画像処理システムは、図１に示すように、ローカルネットワーク（ＬＡＮ）１上に複数のパーソナルコンピュータ（ＰＣ：画像出力装置）２とスキャナ機能（画像入力装置）を有するデジタル複写機３とが接続されている構成となっている。
【００１９】
これにより、ＰＣ２、…はデジタル複写機３のスキャナ機能により読取った原稿画像を受信して利用するようになっており、デジタル複写機３のスキャナ機能が各ＰＣ２、…により共用して利用されるようになっている。
【００２０】
また、ＰＣ２、…からの印刷情報がＬＡＮ１を介してデジタル複写機３に送信されることにより、その印刷情報がデジタル複写機３により印刷されるようになっている。
【００２１】
上記ＰＣ２、…は、入力部としてのキーボードやマウスと表示部とを有している。
【００２２】
上記デジタル複写機３の概略の構成を図２を用いて説明する。
【００２３】
このデジタル複写機３は、一般的な複写機として使用する場合には、スキャナ部（読取手段）１１で読取られた画像信号をプリンタ部（印刷手段）１２に送り、印刷する。スキャナ部１１は、このためＣＣＤセンサが設けられ、原稿を走査して光を電気信号に変換する。
【００２４】
プリンタ部１２は、この実施例では、電子写真方式を用いて印刷を行う装置である。このためプリンタ部１２は、画像の電気信号を受けとると、それを像として用紙に印刷を行う。このプリンタ部１２には電子写真方式以外にもインクジェット方式も考えられる。
【００２５】
このデジタル複写機３の全体の概略説明を以下に行う。
【００２６】
このデジタル複写機３は、その動作の制御を司るＣＰＵ（ｃｅｎｔｒａｌ  ｐｒｏｃｅｓｓｉｎｇ  ｕｎｉｔ）１３、このデジタル複写機１の動作のソフトウェアが格納されているＲＯＭ（Ｒｅｎｄ  ｏｎｌｙ  ｍｅｍｏｒｙ）１４、画像データやその他動作上のデータが一時格納されるＲＡＭ（ｒａｎｄｏｍ  ａｃｃｅｓｓ  ｍｅｍｏｒｙ）１５、各種データが格納されるハードディスクの装置（ＨＤＤ）１６、上記ＬＡＮ１との信号の送受を行うネットワークインターフェース１７、上記プリンタ部１２との信号の受け渡しを行うプリンタ部インターフェース１８、このインターフェース１８に接続された上記プリンタ部１２、上記スキャナ部１１との信号の受け渡しを行うスキャナ部インターフェース１９、このインターフェース１９に接続された上記スキャナ部１１、このデジタル複写機３の動作の指示を表示し指定を受けつけるコントロールパネル２０、このコントロールパネル２０との信号の受け渡しを行うコントロールパネルインターフェース２１、印刷された用紙をビンに区分したりスティプル処理を行うソータ２２、このソータ２２を制御するソータ制御部２３、このソータ制御部２３との信号の受け渡しを行うソータ制御部インターフェース２４から構成されている。
【００２７】
そして、ＣＰＵ１３は、バス２５を介して上記ＲＡＭ１５、ＲＯＭ１４、ＨＤＤ１６、ネットワークインターフェース１７、プリンタ部インターフェース１８、スキャナ部インターフェース１９、コントロールパネルインターフェース２１及びソータ制御部インターフェース２４に接続されている。そして、必要な信号がこのバス２５を介して、それぞれのユニット間で受け渡される。
【００２８】
上記デジタル複写機３で原稿の画像を読取りＰＣ２、…で利用する場合について説明する。
【００２９】
スキャナ部１１には、図示していないが原稿搬送手段である自動原稿送り装置（ＡＤＦ）が付けられている。複数頁から成る原稿（文書）をこのＡＤＦの原稿台に置くことにより、複数頁の原稿が順次１枚ずつ自動的に読取られる。そして、読取られた原稿の画像は、ＨＤＤ（記憶手段）１６にファイルとして格納される。この入力時（原稿画像の読取、格納時）には、デジタル複写機３でのコントロールパネル２０からユーザを特定するユーザＩＤを入力して、後にＰＣ２、…からそのユーザがアクセスできるように格納された画像が管理されている。
【００３０】
そして、ＡＤＦ上の原稿が無くなると、入力した原稿の画像の確認用のシート（後述する確認（あるいは記入）シート５０）がプリンタ部１２で印刷される。この確認用のシートには、入力した原稿の画像が縮小され１枚に複数の頁が印刷されている。
【００３１】
また、確認シートを見て、原稿の画像が好ましく読取られていない場合、濃度が濃い場合、薄い場合、読取り密度が不適切である場合、その原稿の１枚の頁だけスキューして傾いて入力されている場合等の確認が行える。
【００３２】
このような場合には、確認シート上に直接修正を記入して、確認シートを原稿の先頭に付けて再読取りすることで修正が行える。
【００３３】
次に、上記デジタル複写機３のスキャナ部１１で読取られた画像を管理する管理テーブルの例を示す。
【００３４】
図３に画像管理テーブル３０を示す。この画像管理テーブル３０はジョブＩＤフィールド３１、ユーザＩＤフィールド３２、登録日時フィールド３３及び画像へのポインタフィールド３４を持つ。この画像管理テーブル３０はＨＤＤ１６に格納されている。
【００３５】
ジョブＩＤフィールド３１には、各原稿の束（文書）が読み込まれる毎にシリアルな番号が整理のために発行され、それが格納される。ユーザＩＤフィールド３２には、各ジョブが誰の所有のものか判断できるようにユーザＩＤ（原稿画像の入力時に、入力されている）が格納される。登録日時フィールド３３には、その原稿の読取った日時が格納される。画像へのポインタフィールド３４には、読取った画像のファイルを示すデータが格納される。
【００３６】
そして、ＰＣ２、…からこの画像を利用して、そのジョブが不必要となった場合には、そのジョブがこの画像管理テーブル３０から削除される。この図３に示す画像管理テーブル３０では４つのジョブが登録されている例を示している。
【００３７】
次に、このジョブ管理では、誰がこのジョブの持ち主であるのかを管理している。デジタル複写機３で原稿をスキャンして、ＰＣ２、…から、その画像を他人が使えないようにユーザの管理をしている。すなわち、デジタル複写機３のスキャナ部１１で原稿をスキャンして、ＰＣ２、…から、自分でスキャンした画像のみを扱えるようにしている。このため、デジタル複写機３では、原稿の入力時に、ユーザＩＤ及びパスワードをコントロールパネル２０から入力する。このときに、ユーザＩＤとパスワードが一致しているかを確認する。
【００３８】
このユーザＩＤとパスワードとを格納しているユーザ管理テーブル４０を図４に示す。このユーザ管理テーブル４０は、ＨＤＤ１６に格納されている。ユーザ管理テーブル４０は、ユーザＩＤフィールド４１及びユーザパスワードフィールド４２を持つ。
【００３９】
次に、原稿をデジタル複写機３のスキャナ部１１で読取り、読取り後に印刷される確認シートの例を示す。ここでは、ＬＡＮ１上のデジタル複写機３で原稿を読取り、ＰＣ２、…で利用するのであるが、デジタル複写機３の設置場所とＰＣ２、…の設置場所とが離れている場合、読取り後にＰＣ２、…までユーザがもどり確認し、読取りが満足せず再読取りが必要となる場合には、ユーザが再度デジタル複写機３まで行く必要がある。この煩雑さを無くすため、デジタル複写機３で原稿を読取った後、すぐに入力画像を確認し、不満足であった場合に容易に再入力できることが望ましく、確認シートを印刷する。
【００４０】
この確認（記入）シート５０の例を図５に示す。この確認シート５０は、ジョブＩＤ表示エリア５１、読取密度表示エリア５２、頁数エリア５３、シートＩＤを示すバーコード表示エリア５４、原寸印刷指示エリア５５、全頁再読取り指示エリア５６及び画像表示エリア５７を有する。
【００４１】
ジョブＩＤ表示エリア５１には、この表示している画像のジョブ番号を表示している。読取密度表示エリア５２には、これらの原稿が読取られたときの密度を表示している。頁数エリア５３には、この確認シートの頁数の総頁数と、その確認シートの頁が表示されている。この頁は、一枚の確認シートに９枚の画像を印刷しているが、原稿全体の枚数が９枚以上で複数頁から確認シート５０が構成された場合に、その確認シート５０の頁を示している。バーコード５４は、この確認シート５０の１枚毎にシリアルな番号としてのシートＩＤを付し、その番号をバーコードとして表示している。各確認シート５０毎にシートＩＤが付けられている。原寸印刷指示エリア５５は、チェックエリア５８を有する。全頁再読取り指示エリア５６は、チェックエリア５９を有する。
【００４２】
画像表示エリア５７には、この例では９枚の画像（縮小画像）が印刷されている。そして、その中の１枚の画像に対しては、画像頁６０、画像６１及び指示チェックエリア６２から構成されている。この画像表示エリア５７における１枚の画像の部分のみを抜き出して図６に示す。画像頁６０は、原稿（文書）の内でその画像の頁が表示される。画像６１には、スキャナ部１１で読取られた画像が印刷されている。チェックエリア６２には、マークシート方式に塗り潰して指示する部分である。チェックエリア６２は、同一条件で再読取りを指示する再読み込みエリア６３、密度指示（再読取り条件）エリア６４及び濃度指示（再読取り条件）エリア６５を持つ。密度指示エリア６４には、６００ｄｐｉ指示チェックエリア６６、４００ｄｐｉ指示チェックエリア６７及び２００ｄｐｉ指示チェックエリア６８を有する。濃度指示エリア６５には、２段濃く読取るチェックエリア６９、１段濃く読取るチェックエリア７０、１段薄く読取るチェックエリア７１、２段薄く読取るチェックエリア７２を有する。
【００４３】
この確認シート５０の使用例について説明する。確認シート５０には、原稿（文書）の画像が縮小され印刷されている。このため、確認しづらい場合には、その頁だけ原寸で印刷して確認する。この場合には、原寸印刷指示エリア５５のチェックエリア５９を塗り潰し、原寸印刷を行いたい画像のチェックエリア６２のいずれかのチェックエリアを塗り潰す。そして、確認シート５０の全てをスキャナ部１１で読取らせる。このときは原稿は付けずに、確認シート５０のみを読取らせる。
【００４４】
そして、プリンタ部１２でそのチェックエリア６２に印が付いている画像のみが印刷される。
【００４５】
また、全ての原稿で同一条件で再読取りが必要な場合には、全頁再読取り指示エリア５６のチェックエリア５９を塗り潰す。そして、確認シート５０の全てに原稿を付けてＡＤＦの原稿台に置き、スキャナ部１１で読取らせる。
【００４６】
また、３頁目のみ同一条件で再読取りが必要な場合には、３頁目の再読み込みエリア６３を塗り潰す。そして、確認シート５０の全てに全原稿を付けてＡＤＦの原稿台に置き、スキャナ部１１で読取らせる。
【００４７】
また、４頁目のみ６００ｄｐｉの密度で読取りたいときには、４頁目の密度指示エリア６４の６００ｄｐｉ指示チェックエリア６５を塗り潰す。そして、確認シート５０の全てに全原稿を付けてＡＤＦに置き、スキャナ部１１で読取らせる。
【００４８】
また、５頁目のみ、１段階薄く読取らせたい場合には、５頁目の密度指示エリア６４の１段薄く読取るチェックエリア７１を塗り潰す。そして、確認シート５０の全てに全原稿を付けてＡＤＦに置き、スキャナ部１１で読取らせる。
【００４９】
また、複数の頁で異った設定を一度に行うこともできる。例えば、３頁目を２段濃く読取り、６頁目を１段薄く読取り、７頁目を２００ｄｐｉで読取り、８頁目を２段薄く読取り、９頁目を６００ｄｐｉで読取る場合には、各頁のチェックエリア６２にそれぞれの指示部分を塗り潰し、確認シート５０の全てに全原稿を付けてＡＤＦに置き、スキャナ部１１で読取らせる。
【００５０】
上記スキャナ部１１により確認シート５０あるいは原稿の読取りが行われた場合、ＣＰＵ１３はその読取り画像をＲＡＭ１５に記憶する。これにより、ＣＰＵ１３は、このＲＡＭ１５に記憶されている読取り画像のバーコード表示エリア５４に対応する位置にバーコードがあるか否かを判別し、バーコードがある場合に、そのバーコードの内容により確認シート５０の読取りを判別するものである。
【００５１】
また、上記確認シート５０の読取りが判別された際に、ＣＰＵ１３は、ＲＡＭ１５に記憶されている読取り画像のチェックエリア５８、５９の塗り潰しがなされているか否かを判別し、および各画像のチェックエリア６２ごとの再読み込みエリア６３、密度指示エリア６４の各チェックエリア６６、６７、６８、濃度指示エリア６５の各チェックエリア６９、７０、７１、７２の塗り潰しがなされているか否かを判別し、それらの判別結果に基づいて対応する指示の処理が判別されるものである。
【００５２】
たとえば、チェックエリア５８の塗り潰しがなされていると判別した場合、原寸印刷の指示を判別し、チェックエリア５９の塗り潰しがなされていると判別した場合、全頁再読取りの指示を判別するようになっている。
【００５３】
また、各画像のチェックエリア６２ごとの再読み込みエリア６３の塗り潰しがなされていると判別した場合、その画像の対応頁の同一条件での再読取りの指示を判別し、各画像のチェックエリア６２ごとの密度指示エリア６４の各チェックエリア６６、６７、６８のいずれかの塗り潰しがなされていると判別した場合、その画像の対応頁の塗り潰されているチェックエリアに対応する密度の指示を判別し、各画像のチェックエリア６２ごとの濃度指示エリア６の各チェックエリア６９、７０、７１、７２のいずれかの塗り潰しがなされていると判別した場合、その画像の対応頁の塗り潰されているチェックエリアに対応する濃度の指示を判別するようになっている。
【００５４】
次に、確認シート５０に付されるシートＩＤについて説明する。確認シート５０には、その用紙が確認シート５０であり、どのような画像に対する確認シート５０であるかの管理を行っている。このシートＩＤの管理は、シートＩＤ管理テーブル８０で行う。このシートＩＤ管理テーブル８０は、ＨＤＤ１６に格納されている。このシートＩＤ管理テーブル８０は、図７に示すように、シートＩＤフィールド８１、ジョブＩＤフィールド８２、画像頁数フィールド８３及び画像へのポインタフィールド８４により構成されている。
【００５５】
シートＩＤフィールド８１には、シートＩＤが格納される。このシートＩＤの番号は重ならないようにシリアルな番号が発行される。ジョブＩＤフィールド８２には、このシートＩＤで示される確認シート５０の画像がどのジョブに関連するものかをジョブＩＤ管理テーブル３０との関連を付けてそのジョブＩＤが格納される。画像頁数フィールド８３には、その確認シート５０に印刷される画像の頁数が格納される。画像へのポインタフィールド８４には、読取った画像のファイルを示すデータが格納される。
【００５６】
この例では、シートＩＤ「１１１０１」の確認シート５０には、ジョブＩＤ４の画像が関連し、１頁目から９頁目までが印刷され、その画像ファイルがＦｉｌｅ００４であることを示している。シートＩＤは確認シート５０上ではバーコードで示されている。
【００５７】
そして、バーコードを読取ることでシートＩＤが判明し、さらにジョブＩＤとそのシートに印刷されている頁および画像ファイルまでが確認できる。
【００５８】
次に、このデジタル複写機３で原稿を読取る場合について説明する。まず、コントロールパネル２０に表示される例を示す。最初にコントロールパネル２０には、図８に示されるように、初期画面（待機画面）表示されている。このときには、コピーボタン９０、スキャナボタン９１及び案内表示器９８が表示されている。コピーボタン９０は、デジタル複写機がプリンタモードや他のモードのときにコピーモードに変更する場合に押す。スキャナボタン９１は、このデジタル複写機で前記スキャナとして動作させるときに押すボタンである。
【００５９】
このスキャナボタン９１を押すと、図９に示すように、画面が変更される。この画面では、ユーザＩＤ入力エリア９２、パスワード入力エリア９３、キャンセルボタン９４及び入力ボタン９５が表示されている。
【００６０】
ユーザＩＤ入力エリア９２には、図示していないデジタル複写機３に設けられたテンキーから入力されたユーザＩＤを表示するエリアである。入力された文字が表示される。パスワード入力エリア９３には、図示していないデジタル複写機３に設けられたテンキーからのパスワードの入力状況を表示するエリアである。
ここでは、入力された文字が表示されない。文字の変わりに「＃」や「＊」が表示される。
【００６１】
キャンセルボタン９４は、これを押すことにより、一つ前の状態である図８に示される状態に戻るようになっている。入力ボタン９５は、ユーザＩＤを入力し終えて、押すと、パスワード入力受け付け状態となり、パスワードを入力し終えて、押すと次の状態に移る。このとき、ユーザＩＤ及びパスワードが入力し終えると、上記ユーザＩＤ管理テーブル４０で確認され、正しいユーザが判断される。間違った値が入力されると、次の状態に移らず、間違った旨が表示され、その後、図８に示される待機状態になる。
【００６２】
図９の状態でユーザＩＤと、パスワードが入力され、それが正しいと確認されると図１０に示されるように表示される。この画面では、新規ボタン９６及び訂正ボタン９７が表示されている。新規ボタン９６は、新規の原稿を読取るときに押す。訂正ボタン（指示手段）９７は、上記確認シート５０を付けて読取るときに押す。新規ボタン９６は新規の場合、訂正ボタン９７は、一度読込んで確認シート５０で訂正等を行う場合に押す。
【００６３】
次に、デジタル複写機３でのスキャナ動作の概略について、図１１に示すフローチャートを用いて説明する。
【００６４】
まず、図８に示されるコントロールパネル２０の画面からスキャナボタン９１が押される（ステップ１０）。そして、図９に示されるコントロールパネル２０の画面でユーザＩＤとパスワードとの入力を受けつける（ステップ１１）。次に、図１０に示されるコントロールパネル２０の画面となる。このときに、新規ボタン９６が押されるか、訂正ボタン９７が押されるか判断される（ステップ１２）。
【００６５】
ここで新規ボタン９６が押された場合には、ＡＤＦの原稿台に置かれた原稿を読取る（ステップ１３）。そして、読込まれた原稿の画像はＨＤＤ１６に保存される（ステップ１４）。そして、ＡＤＦの原稿台に置かれた原稿が終了したか判断される（ステップ１５）。ＡＤＦの原稿台に原稿が残っている場合には、ステップ１３に戻り次の原稿が読込まれる。
【００６６】
そして、ＡＤＦの原稿台に置かれた原稿が終了したとステップ１５で判断された場合には、確認シート５０が読込んだ原稿の枚数に応じて印刷される（ステップ１６）。そして、原稿の新規の読込みが終了する。
【００６７】
また、ステップ１２で、コントロールパネル２０上の訂正ボタン９７が押されると、ＡＤＦの原稿台には確認シート５０、又は確認シート５０と原稿とが置かれていることになる。このため、確認シート５０のみがまず読込まれる（ステップ１７）。そして、原寸印刷指示エリア５５のチェックエリア５８が塗り潰されているか判断される（ステップ１８）。ここでチェックエリア５８が塗り潰されているときには、どの頁を原寸印刷するか確認シート５０（のたとえば再読込みエリア６３の塗り潰し状態）から読込み、その指定頁のみがＨＤＤ１６から読取られプリンタ部１２により原寸の画像が印刷される（ステップ１９）。そして原寸印刷が終了する。
【００６８】
このように、チェックした画像を印刷することで、確認シート５０では確認しづらかった画像の状態が容易に確認できる。また、読込んだ画像を印刷したい場合に、再度スキャナ部１１で読込ませることなく印刷できるので、非常に使い勝手が良い。
【００６９】
一方、ステップ１８で原寸印刷指示エリア５５のチェックエリア５８が塗り潰されていない場合、次に、確認シート５０の全頁再読取り指示エリア５６のチェックエリア５９が塗り潰されているか確認される（ステップ２０）。そして、塗り潰されている場合には、前に読取られてＨＤＤ１６に保存されている画像が削除される（ステップ２１）。
【００７０】
そして、ＡＤＦの原稿台に確認シート５０につづいて置かれた原稿を読取る（ステップ２２）。そして、読込まれた原稿の画像はＨＤＤ１６に保存される（ステップ２３）。そして、ＡＤＦの原稿台に置かれた原稿が終了したか判断される（ステップ２４）。ＡＤＦの原稿台に原稿が残っている場合には、ステップ２２に戻り次の原稿が読み込まれる。そして、ＡＤＦの原稿台に置かれた原稿が終了したときに終了する。
【００７１】
またステップ２０で全頁再読取り指示エリア５６のチェックエリア５９が塗り潰されていないときには、確認シート５０の各頁のチェックエリア６２を読取り、変更がある頁全てのデータが一時的にＨＤＤ１６の一時メモリとしての別領域（上記文書画像の格納領域と異なる領域）に格納される（ステップ２５）。そして、次にＡＤＦに置かれた原稿が終了しているか確認される（ステップ２６）。
【００７２】
原稿が終了していない場合には、その頁が前記ステップ２５で記録された変更がある頁か判断される（ステップ２７）。そして、その頁が変更ある頁であると判断された場合には、用紙がスキャンされ読込まれる（ステップ２８）。そして、以前保存されていた画像データのその頁のみ新たなデータと差し換えられる（ステップ２９）。そして原稿が次の頁に送られる（ステップ３０）。
【００７３】
そしてステップ２６に戻り、ＡＤＦの原稿台の原稿が終了したか判断され、終了している場合には終了する。また、ステップ２７でステップ２５で変更がある頁分として記録された頁か否かを判断され、変更がない頁と判断されるとステップ３０に送る。このように、変更がない頁では、実際にスキャンされずに次の頁に送られる。以上実際の動作について示した。
【００７４】
上記したように、確認シート上の縮小画像を見ながら実際の濃度の調整が行え、実際の画像と修正のための入力が容易に行える。
【００７５】
また、複数頁の原稿における特定頁のみを再度スキャンする場合にも、その頁のみを原稿から抜かずに原稿全てをＡＤＦの原稿台につみ、再度スキャンすることができる。このため、原稿の頁をばらばらにすることも必要がない。そして必要な頁のみスキャンするので時間も節約できる。
【００７６】
したがって、容易に再度のスキャンの指示が行え、原稿の束（文書）を崩さずにすむ。
【図面の簡単な説明】
【００７７】
【図１】この発明の実施形態の画像処理システムの概略構成を示すブロック図。
【図２】デジタル複写機の概略構成を示すブロック図。
【図３】デジタル複写機のスキャナ部で読取られた画像を管理する画像管理テーブルの一例を示す図。
【図４】デジタル複写機上でユーザを管理するユーザ管理テーブルの一例を示す図。
【図５】デジタル複写機で印刷される確認シートの一例を示す図。
【図６】デジタル複写機で印刷される確認シートの一部を拡大して示す図。
【図７】デジタル複写機で印刷された確認シートを管理するシートＩＤ管理テーブルの一例を示す図。
【図８】デジタル複写機でスキャナモードに移るための操作を行うコントロールパネルの表示例を示す図。
【図９】デジタル複写機でユーザの認証を行うためにユーザＩＤとパスワード入力を行うコントロールパネルの入力画面の表示例を示す図。
【図１０】デジタル複写機で原稿の読取りが新規であるか訂正であるかの入力を行うコントロールパネルの入力画面の表示例を示す図。
【図１１】デジタル複写機でスキャナ動作を説明するためのフローチャート。
【符号の説明】
【００７８】
１…ＬＡＮ  
２…ＰＣ  
３…デジタル複写機  
１３…ＣＰＵ  
１６…ＨＤＤ  
３０…画像管理テーブル  
４０…ユーザ管理テーブル  
５０…確認シート  
８０…シートＩＤ管理テーブル  
【図１】
2008022583.tif 000003
【図２】
2008022583.tif 000004
【図３】
2008022583.tif 000005
【図４】
2008022583.tif 000006
【図５】
2008022583.tif 000007
【図６】
2008022583.tif 000008
【図７】
2008022583.tif 000009
【図８】
2008022583.tif 000010
【図９】
2008022583.tif 000011
【図１０】
2008022583.tif 000012
【図１１】
2008022583.tif 000013